(57)【要約】【課題】任意の数の負荷抵抗に対し、要求される変動率に抑えて電力を分配する高周波電力分配回路を提供すること【解決手段】本発明に係る高周波電力分配回路は、高周波電源から直流負荷に対し高周波電力を供給するための高周波電力分配回路であって、該高周波電源の入力周波数に対し位相がπ／４だけ遅延が生じる電気長を有する伝送線路を備え、入力端子より前記伝送線路を分配に必要な数だけカスケード接続し、該伝送線路の出力端子に直流負荷を並列に接続してなることを特徴とする。【選択図】図１
2018098523.tif 000002
【特許請求の範囲】
【請求項１】
高周波電源から直流負荷に対し高周波電力を供給するための高周波電力分配回路であって、
該高周波電源の入力周波数に対し位相がπ／４だけ遅延が生じる電気長を有する伝送線路を備え、
入力端子より前記伝送線路を分配に必要な数だけ直列に接続し、該伝送線路の出力端子に直流負荷を並列に接続してなることを特徴とする高周波電力分配回路。
【請求項２】
高周波電源から直流負荷に対し高周波電力を供給するための高周波電力分配回路であって、
請求項１に記載の高周波電力分配回路を一つの電力分配器として備え、
入力端子より一つのキャパシタおよび一つのインダクタが並列に接続され、
該キャパシタおよびインダクタの出力端子それぞれに、各一つの前記電力分配器が接続されてなることを特徴とする高周波電力分配回路。
【請求項３】
高周波電源から直流負荷に対し高周波電力を供給するための高周波電力分配回路であって、
設計された特性インピーダンスを有する伝送線路と、
請求項１に記載の高周波電力分配回路を一つの電力分配器として備え、
入力端子より前記伝送線路がカスケード接続され、
該伝送線路の各接続点に前記電力分配器がそれぞれ接続されてなることを特徴とする高周波電力分配回路。
【発明の詳細な説明】
【技術分野】
【０００１】
本発明は、高周波帯で使用される電力分配回路に関するものである。とくに、本発明係る高周波電力分配回路は、三つ以上の出力端子を有し、該分配回路のすべての出力ポートに、抵抗値が連動して変化する負荷が接続された場合に、負荷抵抗値の変動による分配回路の入力抵抗値の変動を抑制するものである。
【背景技術】
【０００２】
負荷抵抗値の変動を抑制することは、無線電力伝送や高周波DC-DC電力変換、アウトフェージング電力増幅器など、高周波電力を扱う殆どすべての産業応用において重要である。また、高周波帯の電力回路ではコンポーネント同士のインピーダンス整合が重要である。負荷変動は、インピーダンス整合の問題を複雑にする要因の一つであると考えられている。
【０００３】
抵抗値が連動して変化する負荷が接続された場合に、負荷抵抗値の変動による入力抵抗値の変動が抑制できる高周波帯で用いる電力分配回路は、非特許文献１で初めて提案された。非特許文献１および非特許文献２などでは、マイクロ波を用いる無線電力伝送において、インピーダンス変動の対策として、resistance compression network（以下、「RCN」ということがある。）を用いる方法が記述されている。
【０００４】
さらに、非特許文献１および非特許文献２に記載されている高周波電力分配回路では、ともに、抵抗値の変動率をxとしたときの、入力抵抗の変動率をf(x)とすると、f(x)={(1+x2)/2x}1/2に抑制できることが知られている。
【０００５】
非特許文献１および非特許文献２における前記電力分配回路は、２分配を実現する構成となっている。３分配以上を実現する電力分配回路を構成するには、２分配回路を再帰的に用いて、４分配回路を構成できることが分かっている。つまり、２のべき数で表される分配数をもつ電力分配回路が構成できる。また、分配数が多いほど、入力抵抗値の変動が抑制されることがわかっている。
【先行技術文献】
【非特許文献】
【０００６】
【非特許文献１】Y. Han, O. Leitermann, D. A. Jackson, J. M. Rivas and D. J. Perreault, “Resistance Compression Networks for Radio-Frequency Power Conversion,” IEEE Transactions on Power Electronics, vol. 22, no. 1, pp. 41-53, Jan. 2007.
【非特許文献２】T. W. Barton, J. M. Gordonson and D. J. Perreault, “Transmission Line Resistance Compression Networks and Applications to Wireless Power Transfer,” IEEE Journal of Emerging and Selected Topics in Power Electronics, vol. 3, no. 1, pp. 252-260, Mar. 2015.
【発明の概要】
【発明が解決しようとする課題】
【０００７】
前述した先行技術に基づいた電力分配回路の課題は、実現できる分配数が２のべき数に限られることである。この結果、例えば、分配数が９で十分な用途においても、１６（つまり、２の４乗）の分配数を有する電力分配回路を使用する必要がある。つまり、七つもの冗長な負荷を用意する必要があることを意味しており、直ちに回路の複雑化や製造コストの増加あるいは、材料コスト増大をまねくことになる。
【０００８】
本発明は、前記先行技術の課題を克服するために成されたものであり、解決しようとする課題は、任意の分配数を持つ高周波電力分配回路を提供することである。
【課題を解決するための手段】
【０００９】
本発明係る第１の高周波電力分配回路は、
高周波電源から直流負荷に対し高周波電力を供給するための高周波電力分配回路であって、
該高周波電源の入力周波数に対し位相がπ／４だけ遅延が生じる電気長を有する伝送線路を備え、
入力端子より前記伝送線路を分配に必要な数だけ直列に接続し、該伝送線路の出力端子に直流負荷を並列に接続してなることを特徴とする。
【００１０】
本発明係る第２の高周波電力分配回路は、
高周波電源から直流負荷に対し高周波電力を供給するための高周波電力分配回路であって、
本発明に係る第１の高周波電力分配回路を一つの電力分配器として備え、
入力端子より一つのキャパシタおよび一つのインダクタが並列に接続され、
該キャパシタおよびインダクタの出力端子それぞれに、各一つの前記電力分配器が接続されてなることを特徴とする。
【００１１】
本発明係る第３の高周波電力分配回路は、
高周波電源から直流負荷に対し高周波電力を供給するための高周波電力分配回路であって、
設計された特性インピーダンスを有する伝送線路と、
請求項１に記載の高周波電力分配回路を一つの電力分配器として備え、
入力端子より前記伝送線路がカスケード接続され、
該伝送線路の各接続点に前記電力分配器がそれぞれ接続されてなることを特徴とする。
【発明の効果】
【００１２】
本発明に係る高周波電力分配回路により、簡素な構造で、任意の数の負荷抵抗に対し、要求される変動率に抑えて電力を分配できる。
【図面の簡単な説明】
【００１３】
【図１】本発明に係る高周波電力分配回路の構成を示す模式図である。
【図２】本発明に係る設計手順におけるresistance compression network(RCN)の模式図である。
【図３】本発明に係る設計手順による高周波電力分配回路の設計例（分配数３）を示す模式図である。
【図４】本発明に係る設計手順による高周波電力分配回路の負荷抵抗値Rload-入力抵抗値Rin特性を示すグラフである。
【図５】本発明の実施例２に係る高周波電力分配回路（分配数６）を示す模式図である。
【図６】本発明の実施例２に係る高周波電力分配回路（分配数６）の負荷抵抗値Rload-入力抵抗値Rin特性を示すグラフである。
【図７】本発明の実施例３に係る高周波電力分配回路（分配数９）を示す模式図である。
【図８】本発明の実施例２に係る高周波電力分配回路（分配数９）の負荷抵抗値Rload-入力抵抗値Rin特性を示すグラフである。
【図９】本発明に係る高周波電力分配回路に用いる伝送線路の等価回路を示す模式図である。
【図１０】実施例１において伝送線路を等価回路で構成した高周波電力分配回路（分配数３）の例を示す模式図である。
【発明を実施するための形態】
【００１４】
本発明を実施するための形態について、図および表等を参照しながら説明する。
【００１５】
本発明に係る高周波電力分配回路の基本となる構成を図１に示す。該電力分配回路の分配数を自然数Nとした場合、特性インピーダンスがそれぞれZ1,Z2,…,ZNであるようなN本の伝送線路を順次、カスケード接続し、１からN-1本の伝送線路との各接続点およびN本目に接続された伝送線路の端点を出力端子とする。
【００１６】
また、各線路の電気的な長さは、それぞれ、入力される高周波電圧の周波数において位相が90°遅れる長さとする。
【００１７】
各線路の特性インピーダンスZ1,Z2,…,ZNは、以下のように決定される。
【００１８】
＜RCNの設計手順＞
resistance compression network(RCN)の設計手順について説明する。本設計手順に使用するパラメータは、
1.負荷抵抗値Rloadの変動範囲[最小値Rmin，最大値Rmax]
2.入力抵抗値Rinの目標値Rcenter
3.RCNの分配数n
である。入力抵抗値Rinがどれだけの変動率を持つかは、変動範囲の最小値Rmin、変動範囲の最大値Rmax、分配数nから求められる。
【００１９】
一方、前記変動範囲の最小値、最大値および分配数を与えることで、本発明に係る高周波電力分配回路（図１）における各伝送線路の特性インピーダンスZ1,Z2,・・・,Znを求めることができる。
【００２０】
＜パラメータの正規化＞
まず、負荷抵抗値Rload、入力抵抗値Rinを正規化し、取りうる値の中心が１になるようにする。以下で説明する伝達関数を正規化するために、パラメータｘおよびｙを導入し、次の数式のとおりに、
【００２１】
【数１】
2018098523.tif 000003
と定義する。
【００２２】
また、パラメータｘおよびｙの変動率を、それぞれδ、εとする。パラメータｘが1/δからδまで変動するときに、パラメータｙが1/εからεまで変動するように、パラメータｘの変動率δ、パラメータｙの変動率εを求める。このとき、前記数１の定義より
【００２３】
【数２】
2018098523.tif 000004
となる。
【００２４】
＜伝達関数の係数＞
分配数ｎのRCNについて、パラメータｘとパラメータｙとの関係は
【００２５】
【数３】
2018098523.tif 000005
と表すことができるので、数３の係数を前記パラメータｘの変動率δにより決定する。
【００２６】
（１）分配数ｎが2のとき
このときパラメータｙは、
【００２７】
【数４】
2018098523.tif 000006
である。
【００２８】
数４の係数は、
【００２９】
【数５】
2018098523.tif 000007
となる。
【００３０】
一方、パラメータｙの変動率εは
【００３１】
【数６】
2018098523.tif 000008
である。
【００３２】
パラメータｘの変動率δが十分大きい場合は
【００３３】
【数７】
2018098523.tif 000009
で近似できる。
【００３４】
（２）分配数ｎが3のとき
このときパラメータｙは
【００３５】
【数８】
2018098523.tif 000010
である。
【００３６】
数８の係数は
【００３７】
【数９】
2018098523.tif 000011
で与えられる。
【００３８】
また、パラメータｙの変動率εは
【００３９】
【数１０】
2018098523.tif 000012
となる。この場合もパラメータｘの変動率δが十分大きければ
【００４０】
【数１１】
2018098523.tif 000013
と近似できる。
【００４１】
（３）分配数ｎが3より大きな素数のとき
分配数ｎが3より大きな素数の場合は、数３の係数をパラメータｘの変動率δの関数として解析的に表すことができないので、数値シミュレーション、あるいは近似計算によって求める。幾つかの分配数ｎについて、パラメータｘの変動率δから係数を求め、結果を表１および２に示す。
【００４２】
【表１】
2018098523.tif 000014
【００４３】
【表２】
2018098523.tif 000015
【００４４】
（４）分配数ｎが合成数のとき
分配数ｎが合成数の場合は、数３の伝達関数を合成することで、所望の分配数の伝達関数を求めることができる。
【００４５】
例えば、分配数ｎが6（つまり2×3）の場合に、パラメータｘの変動率δに対する伝達関数を求めるときは、まず、パラメータｘの変動率δに対する２分割の伝達関数ｆ２（ｘ）とｆ２（ｘ）の変動率ε´を求める。その後、変動率ε´＝δ´として、δ´に対する３分割の伝達関数ｆ３（ｘ）を求め、これを合成する。つまり、次の数１２のように求められる。
【００４６】
【数１２】
2018098523.tif 000016
【００４７】
＜パラメータの再置き換え＞
正規化されたパラメータｘおよびｙに対する伝達関数が求められたら、つぎに、数１を用いて負荷抵抗値Rloadと入力抵抗値Rinとの関係を表す数３に代入する。結果、入力抵抗値Rinは負荷抵抗値Rloadの有理関数として表される。この時の負荷抵抗値Rloadのk乗(k=0,1,2,・・・,n)の係数を、あらためてAkとおくと、入力抵抗値は、
【００４８】
【数１３】
2018098523.tif 000017
となる。
【００４９】
＜特性インピーダンスへの変換＞
最後に、係数列｛Ak｝nk=0を特性インピーダンスの列｛Zk｝nk=1に変換する。該変換には次の漸化式（数１４）で定義される2重数列を用いる。
【００５０】
【数１４】
2018098523.tif 000018
特性インピーダンスの列｛Zk｝nk=1は、数１４の数列を用いて
【００５１】
【数１５】
2018098523.tif 000019
と求められる。
【００５２】
次に、入力抵抗値に関する数１３の導出について説明する。
【００５３】
＜線形多ポート回路網の数理＞
本発明に係るRCNは少なくとも三つのポートを備えた線形多ポート回路網であり、インピーダンスを変化させる要因は、周波数ではなく負荷インピーダンスRloadの変動である。
ここでは、RCNを含む一般の線形なN分岐の電力分配回路について、入力インピーダンスZinをN個の負荷インピーダンスZn(n=1,2,3,・・・,N)の関数と見た時の回路の振る舞い
【００５４】
【数１６】
2018098523.tif 000020
の性質を示す。
【００５５】
前述の通り、従来の回路理論の主な関心はZinを周波数ωの関数として見たときの振る舞い
【００５６】
【数１７】
2018098523.tif 000021
であった。ωを複素周波数と考えれば、線形2ポート回路網によるインピーダンス変換
【００５７】
【数１８】
2018098523.tif 000022
も、数１７と似ているが、数１７および１８の両者には決定的な違いがあり、それは、数１７にはあらゆる複素面上の有理型関数が許されるのに対し、数１８は、複素定数a、b、c、dを用いて
【００５８】
【数１９】
2018098523.tif 000023
の形に表される関数に限られる点である。数１９は、ad−bc≠0の条件の下で一次分数変換と呼ばれる。実際、ad−bc=0とすると、関数f(Z1)は不定形(0/0)、定数関数、あるいは常に∞となる。いずれも、数１８に許される関数のクラスは、数１７に許されるクラスに対して圧倒的に小さく、結果として、数１６の関数の振る舞いは、高々有限個の複素定数を用いて完全に記述できる。以下ではこのことを説明する。
いま、数１６の引数のうち1つを選び、それ以外を固定する。k番目の引数を選んだとすれば、数１６は線形2ポート回路網によるインピーダンス変換であるから、Zk以外によって定まるak、bk、ck、dkにより
【００５９】
【数２０】
2018098523.tif 000024
の形に記述できなければならない。これが全てのk=1,2,・・・,Nについて成り立つから、数１６はZkの高々1次の項からなる多項式を用いて、それらの商で表すことができ、次の数式となる。
【００６０】
【数２１】
2018098523.tif 000025
【００６１】
＜RCNによるインピーダンス変換＞
上述したように、RCNを含む線形多ポート回路網によるインピーダンス変換が数２１の形に書けることを説明した。ここでは、数２１にRCN特有の条件を課すことで、RCNに関する関数形について説明する。
【００６２】
RCNを用いる際の条件として、図２にも示したように、各出力ポートに繋がれた全ての負荷抵抗値が連動して動くことが挙げられる。まずはこれを数２１に反映すれば、Zinは
【００６３】
【数２２】
2018098523.tif 000026
と表される。あるいは、数２２の極と零点を用いて
【００６４】
【数２３】
2018098523.tif 000027
と表すこともできる。ただしpおよびqはそれぞれ数２２の分母、分子の次数である。数２３が不定形になることを防ぐために、AqおよびBpの少なくとも一方は0でないと仮定してよい。
次に、RCNに要求される特性として次の2条件を課す。それは
・Rloadが純抵抗であればZinもまた純抵抗になること
・無損失であること
である。これらの条件は、RCNの実用に即した条件であり、1つ目の条件はRCNが文字通り“resistance”を圧縮する回路であることから、2つ目の条件は電力分配回路として損失が許されないからである。
【００６５】
では1つ目の条件である「Rloadが純抵抗であればZinも純抵抗」を満たす場合を考えてみる。この時、条件より任意の実数Rについて
【００６６】
【数２４】
2018098523.tif 000028
となる。ここで上線は複素共役を表す。数２４より、両者の零点はそれぞれ
【００６７】
【数２５】
2018098523.tif 000029
である。関数f(R)と該f(R)の複素共役関数は等しいから、これらは集合として一致する。ここで、数２５の集合のk次基本対称式sk(k=1,2,・・・,q)を考えると、これは2通りの表示を持ち、例えばs1について
【００６８】
【数２６】
2018098523.tif 000030
となる。これはskが実数であることを意味する。ところで、数２２および２３を比べることで、数２２の分子の係数はskを用いて
【００６９】
【数２７】
2018098523.tif 000031
と表される。よってAk/Aqは実数である。
【００７０】
極についても同じことが言えるので
【００７１】
【数２８】
2018098523.tif 000032
となる。これのk次基本対称式をtkとすればtkもまた実数であり、
【００７２】
【数２９】
2018098523.tif 000033
となる。関数f(R)および該f(R)の複素共役関数の極と零点が一致することから、数２３より、Aq/Bpが実数であると言えるので、数２７、２９、３０をまとめて次の結論（条件式）を得る。
【００７３】
【数３０】
2018098523.tif 000034
【００７４】
次に、上記２条件のうち「無損失である」場合を考える。この条件は「Rloadが純リアクタンスならばZinも純リアクタンスである」と表現できる。再び任意の実数をRと置けば、
【００７５】
【数３１】
2018098523.tif 000035
となる。数３１の左辺関数および右辺関数の(jRの関数としての)極と零点はそれぞれ
【００７６】
【数３２】
2018098523.tif 000036
【００７７】
【数３３】
2018098523.tif 000037
を満たす。負号により、これらの基本対称式skおよびtkは次数によって性質が異なり、奇数次であれば実数、偶数次であれば純虚数になる。また、Aq/Bpについては純虚数であることが言える。対称式と係数の関係式である数２７、２９はそのままであるから、最終的に次の結論（条件式）を得る。
【００７８】
【数３４】
2018098523.tif 000038
【００７９】
幾何学的な表現であれば、「A0,B1,A2,・・・,AN(またはBN)とB0,A1,B2,・・・,BN(またはAN)が直交する」となる。
【００８０】
これで上記2条件による係数への制約が明らかになった。実際には2つの制約を同時に満たす場合が2通りある。1つ目はA0,B1,A2,・・・,AN(またはBN)が全て0の場合、2つ目はB0,A1,B2,・・・,BN(またはAN)が全て0の場合である。前者の場合、RCNの関数形は
【００８１】
【数３５】
2018098523.tif 000039
となり、
【００８２】
後者の場合は
【００８３】
【数３６】
2018098523.tif 000040
となる。ここでは簡単のため、奇数のNを仮定したが、Nが偶数のときの関数形も同様にして導ける。
【００８４】
つまり、結論として、数３５について、
【００８５】
【数３７】
2018098523.tif 000041
のようにR2loadの多項式を作られることを利用して次の結論を得る。
【００８６】
RCNのインピーダンス変換関数Zin=f(Rload)の極、及び零点はすべて虚軸上にあり、かつ実軸対称である。
【００８７】
以下に、上述した設計手順により求めた本発明に係る高周波電力分配回路の実施例を示す。とくに回路構成と共にシミュレーション解析結果を示す。
【実施例１】
【００８８】
本発明に係る実施例１として、分配数３の高周波電力分配回路を図３に示す。また、図３の構成において負荷抵抗値Rloadが変動したときの入力抵抗値Rinの振る舞いを図４に示す。図４において、負荷抵抗値Rloadが1Ωから100Ωまで変動したとき、入力抵抗値Rinは約71Ωから約141Ωまで変動する。このとき、負荷抵抗値の変動率が10(すなわち100Ω/1Ωの平方根)なのに対して、入力抵抗値の変動率は1.4(141Ω/71Ωの平方根) に抑えられる。
【実施例２】
【００８９】
本発明に係る実施例２として、分配数６の高周波電力分配回路を図５に示す。この実施例による負荷抵抗値Rload-入力抵抗値Rin特性は図６のようになり、負荷抵抗値Rloadが1Ωから100Ωまで変動したとき、入力抵抗値Rinは100Ωから約106Ωまでしか変動しないことがわかる。
【実施例３】
【００９０】
本発明に係る実施例３として、トーナメント式に構成した、分配数９の高周波電力分配回路を図７に示す。本実施例による負荷抵抗値Rload-入力抵抗値Rin特性は図８のようになり、負荷抵抗値Rloadが1Ωから100Ωまで変動したとき、入力抵抗値Rinは約99.8Ωから約100.2Ωまでしか変動しないことがわかる。
【実施例４】
【００９１】
図１の基本構成において、各伝送線路を、図９に示すキャパシタとインダクタからなるΠ型等価回路、またはT型等価回路で置き換えた構成でも同様の効果が得られる。そこで、本発明の実施例１に係る高周波電力分配回路の各伝送線路を、Π型のキャパシタ-インダクタ-キャパシタの構成の等価回路で置き換えた、本発明に係る実施例４の高周波電力分配回路を図１０に示す。
【００９２】
このとき、Π型等価回路、またはT型等価回路の等価的な特性インピーダンスと電気長の値は、置き換えられた伝送線路の値と一致させなければならない。本実施例に係る電力分配回路は、実施例１に示した高周波電力分配回路と電気的に等価であるため、負荷抵抗値Rload-入力抵抗値Rin特性は、図４に示した同特性と一致する。
【図１】
2018098523.tif 000042
【図２】
2018098523.tif 000043
【図３】
2018098523.tif 000044
【図４】
2018098523.tif 000045
【図５】
2018098523.tif 000046
【図６】
2018098523.tif 000047
【図７】
2018098523.tif 000048
【図８】
2018098523.tif 000049
【図９】
2018098523.tif 000050
【図１０】
2018098523.tif 000051